(57)【要約】  長手方向の前側に機能層を有する、前側の部分が相対的に長い吸収性物品において、下着の前側の端縁から吸収性物品の前側の端部が外側にはみ出さないように装着者が吸収性物品を長手方向の後側に必要以上にずらして装着しても、長手方向の前側からの液体の漏れを抑制することが可能な吸収性物品を提供する。吸収性物品は、吸収体（１１）を含む吸収本体（３）と、吸収本体の長手方向の前側に位置し、所定の機能を有する機能層（１３）を含む機能本体（５）と、を備える。長手方向において、吸収本体における排泄口当接域（２１）の中心を通り幅方向に延びる中心線と、吸収体の前側の端縁と、の距離は、吸収体の前側の端縁と、吸収性物品の前側の端縁と、の距離よりも長い。
2020179886.tif 000002
【特許請求の範囲】
【請求項１】
長手方向、幅方向及び厚さ方向を有しており、吸収体を含む吸収本体と、前記吸収本体の前記長手方向の前側に位置し、所定の機能を有する機能層を含む機能本体と、を備える吸収性物品であって、
前記長手方向において、前記吸収本体における排泄口当接域の中心を通り前記幅方向に延びる中心線と、前記吸収体の前側の端縁と、の距離は、前記吸収体の前側の端縁と、前記吸収性物品の前側の端縁と、の距離よりも長い、
吸収性物品。
【請求項２】
前記吸収本体は、前記幅方向の両外側に延出する一対のウイング部を有し、
前記中心線は、前記長手方向において、前記一対のウイング部の各々の中心を前記幅方向に結んでいる、
請求項１に記載の吸収性物品。
【請求項３】
前記機能本体は、前記吸収体よりも低い吸収性能を有する低吸収部を含む、
請求項１又は２に記載の吸収性物品。
【請求項４】
前記吸収体と前記低吸収部とは、前記幅方向から見て、前記長手方向に連続している、
請求項３に記載の吸収性物品。
【請求項５】
前記吸収体の一部と前記低吸収部の一部とは、前記厚さ方向に重複している、
請求項３又は４に記載の吸収性物品。
【請求項６】
前記吸収体の一部は、前記低吸収部の一部における肌側の部分に重複している、
請求項５に記載の吸収性物品。
【請求項７】
前記吸収体の一部と前記低吸収部の一部とを前記厚さ方向に重複させつつ圧搾して形成された圧搾部を更に備える、
請求項５又は６に記載の吸収性物品。
【請求項８】
前記吸収性物品は、展開された状態において、
前記幅方向に沿って延び、前記長手方向に所定間隔で互いに平行に並んだ複数の折り軸を有し、
前記複数の折り軸の一つは、前記長手方向において、前記吸収体における前側の端縁よりも前記中心線の側、かつ、前記中心線よりも前側に位置する、
請求項１乃至７のいずれか一項に記載の吸収性物品。
【請求項９】
前記吸収体における前記中心線よりも前記長手方向の前側の坪量は、前記吸収体における前記中心線よりも前記長手方向の後側の坪量よりも高い、
請求項１乃至８のいずれか一項に記載の吸収性物品。
【請求項１０】
長手方向、幅方向及び厚さ方向を有しており、吸収体を含む吸収本体を備える吸収性物品であって、
前記吸収本体は、
前記幅方向の両外側に延出する一対のウイング部を含み、
前記長手方向における前記一対のウイング部の各々の中心を前記幅方向に結ぶ中心線を有し、
前記長手方向において、前記吸収体における前記中心線から前記吸収体の前側の端縁までの長さは、前記吸収体における前記中心線から前記吸収体の後側の端縁までの長さよりも長い、
吸収性物品。
【請求項１１】
長手方向、幅方向及び厚さ方向を有しており、吸収体を含む吸収本体と、前記吸収本体の前記長手方向の前側に位置し、所定の機能を有する機能層を含む機能本体と、を備える吸収性物品であって、
前記長手方向において、前記吸収体と前記機能層とが前記厚さ方向に重複する重複部を更に備え、
前記重複部に、前記吸収体の一部と前記機能層の一部とを前記厚さ方向に圧搾して形成された圧搾部を更に備える、
吸収性物品。
【発明の詳細な説明】
【技術分野】
【０００１】
本発明は、機能層を含む吸収性物品に関する。
【背景技術】
【０００２】
吸収性物品の装着者に皮膚を介して温感や冷感などを知覚させる等、所定の機能を有する機能層を含む吸収性物品が知られている。例えば、特許文献１には、装着者に皮膚を介して温感や冷感などを知覚させる機能を有する機能層を含む吸収性物品が開示されている。特許文献１によれば、この吸収性物品では、機能層は主に吸収体よりも長手方向の前側（腹側）に配置されている。それに伴い、この吸収性物品では、長手方向の前側の部分が、一般的な吸収性物品の形状と比較して長くなっている。
【先行技術文献】
【特許文献】
【０００３】
【特許文献１】実用新案登録第３２１３４９４号公報
【発明の概要】
【発明が解決しようとする課題】
【０００４】
装着者が、特許文献１のような吸収性物品を下着に装着する場合、吸収性物品の前側の部分が下着（のウェストの開口部）の前側の端縁から外側にはみ出さないように装着する。その際、吸収性物品の前側の端部のはみ出しをより確実に防止できるように、装着者が吸収性物品を長手方向の後側（背側）に必要以上にずらして装着する場合が考えられる。すなわち、液体の排泄物を吸収するのに好適な吸収体の位置が必要以上に後側にずれる場合が考えられる。そうなると、吸収性物品の長手方向の前側の領域において、吸収体の領域が減少してしまい、排泄物（例示：経血、尿）が吸収体によって十分に吸収されず、吸収性物品の前側から漏れるおそれがある。機能層の長手方向の長さを短くする方法も考え得るが、機能層が十分に機能しなくなるおそれがある。【０００５】
したがって、本発明の目的は、長手方向の前側に機能層を有する、前側の部分が相対的に長い吸収性物品において、下着の前側の端縁から吸収性物品の前側の端部が外側にはみ出さないように装着者が吸収性物品を長手方向の後側に必要以上にずらして装着しても、長手方向の前側からの液体の排泄物の漏れを抑制することが可能な吸収性物品を提供することにある。
【課題を解決するための手段】
【０００６】
本発明における吸収性物品は、長手方向、幅方向及び厚さ方向を有しており、吸収体を含む吸収本体と、前記吸収本体の前記長手方向の前側に位置し、所定の機能を有する機能層を含む機能本体と、を備える吸収性物品であって、前記長手方向において、前記吸収本体における排泄口当接域の中心を通り前記幅方向に延びる中心線と、前記吸収体の前側の端縁と、の距離は、前記吸収体の前側の端縁と、前記吸収性物品の前側の端縁と、の距離よりも長い、吸収性物品。
【発明の効果】
【０００７】
本発明により、長手方向の前側に機能層を有する、前側の部分が相対的に長い吸収性物品において、下着の前側の端縁から吸収性物品の前側の端部が外側にはみ出さないように装着者が吸収性物品を長手方向の後側に必要以上にずらして装着しても、長手方向の前側からの液体の漏れを抑制することが可能な吸収性物品を提供できる。
【図面の簡単な説明】
【０００８】
【図１】実施形態に係る吸収性物品の構成例を示す平面図である。
【図２】図１における長手方向中心線に沿った断面図である。
【図３】実施形態に係る吸収性物品の構成例を示す背面図である。
【図４】実施形態に係る吸収性物品の他の構成例を示す平面図である。
【発明を実施するための形態】
【０００９】
具体的には、本発明の開示は以下の態様に関する。
［態様１］
長手方向、幅方向及び厚さ方向を有しており、吸収体を含む吸収本体と、前記吸収本体の前記長手方向の前側に位置し、所定の機能を有する機能層を含む機能本体と、を備える吸収性物品であって、前記長手方向において、前記吸収本体における排泄口当接域の中心を通り前記幅方向に延びる中心線と、前記吸収体の前側の端縁と、の距離は、前記吸収体の前側の端縁と、前記吸収性物品の前側の端縁と、の距離よりも長い、吸収性物品。
【００１０】
本吸収性物品では、長手方向において、幅方向中心線と吸収体の前側の端縁との距離が、吸収体の前側の端縁と吸収性物品の前側の端縁との距離よりも長い。ただし、各端縁の位置は、長手方向中心線上の位置とする。すなわち、吸収性物品における幅方向中心線よりも長手方向の前側の領域において、吸収体が存在する領域の長手方向の長さが、吸収体が存在しない領域の長手方向の長さよりも長い。そのため、吸収性物品の長手方向の前側の領域において、液体の排泄物を吸収可能な吸収体の領域を長手方向に十分に長く確保できる。それゆえ、長手方向の前側に機能層を有し、前側の部分が相対的に長い吸収性物品を下着に装着するとき、吸収性物品の前側の端部のはみ出しを気にして、装着者が吸収性物品を長手方向の後側に必要以上にずらして装着しても、吸収性物品の長手方向の前側の領域において、吸収体の領域を十分に確保できるため、長手方向の前側からの排泄物の漏れを抑制できる。
【００１１】
［態様２］
前記吸収本体は、前記幅方向の両外側に延出する一対のウイング部を有し、前記中心線は、前記長手方向において、前記一対のウイング部の各々の中心を前記幅方向に結んでいる、態様１に記載の吸収性物品。
本吸収性物品では、幅方向に延びる中心線の位置を、一対のウイング部の各々における長手方向の中心を幅方向に結んだ位置としている。そのため、吸収体が存在する領域の長手方向の長さをより確実に吸収体が存在しない領域の長手方向の長さよりも長くすることができる。それにより、吸収性物品の長手方向の前側の領域において、吸収体の領域を十分に確保できるため、長手方向の前側からの排泄物の漏れを抑制できる。
【００１２】
［態様３］
前記機能本体は、前記吸収体よりも低い吸収性能を有する低吸収部を含む、態様１又は２に記載の吸収性物品。
本吸収性物品では、吸収本体の前側に位置する機能本体に、低吸収部を有している。低吸収部は、液体の吸収量は吸収体より低いが、液体をある程度は吸収可能な部分である。そのため、吸収性物品の長手方向の前側の領域において、吸収体の長手方向の前側の端縁から液体が一部漏れ出たとしても、低吸収部でその液体を捕獲することができる。それにより、吸収性物品の長手方向の前側から液体が漏れることをより抑制できる。
【００１３】
［態様４］
前記吸収体と前記低吸収部とは、前記幅方向から見て、前記長手方向に連続している、態様３に記載の吸収性物品。
本吸収性物品では、吸収体と低吸収部とが幅方向から見て長手方向に連続しており、したがって、両者は長手方向に実質的に互いに隣接している。そのため、吸収性物品の長手方向の前側の領域において、吸収体の長手方向の前側の端縁から液体が一部漏れ出たとしても、隣接する低吸収部でその液体を容易に捕獲することができる。それにより、吸収性物品の長手方向の前側から液体が漏れることをより容易に抑制できる。
【００１４】
［態様５］
前記吸収体の一部と前記低吸収部の一部とは、前記厚さ方向に重複している、態様３又は４に記載の吸収性物品。
本吸収性物品では、吸収体と低吸収部とが長手方向に重複している。そのため、吸収性物品の長手方向の前側の領域において、吸収体の長手方向の前側の端縁に液体が達したとしても、そのまま重複する低吸収部にその液体を移行させて吸収することができる。それにより、吸収性物品の長手方向の前側から液体が漏れることをより容易に抑制できる。
【００１５】
［態様６］
前記吸収体の一部は、前記低吸収部の一部における肌側の部分に重複している、態様５に記載の吸収性物品。
本吸収性物品では、吸収体の一部が低吸収部の一部の肌側の部分に重複している。すなわち、重複部分において、吸収体の一部が低吸収部の一部に乗り上げて、より肌側に近づくことができる。それにより、吸収性物品の長手方向の前側の領域において、肌面を伝って液体が漏れる伝え漏れをより確実に抑制でき、したがって、吸収性物品の長手方向の前側から液体が漏れることをより確実に抑制できる。
【００１６】
［態様７］
前記吸収体の一部と前記低吸収部の一部とを前記厚さ方向に重複させつつ圧搾して形成された圧搾部を更に備える、態様５又は６に記載の吸収性物品。
本吸収性物品では、吸収体の一部と低吸収部の一部とが重複した部分に圧搾部を有している。それゆえ、吸収性物品の長手方向の前側の領域において、吸収体の長手方向の前側の端縁に向かって液体が移動してきても、圧搾部により、その移動を堰き止めて吸収体の深部や他の箇所へ液体を拡散させることができる。それにより、吸収性物品の長手方向の前側から液体が漏れることをより確実に抑制できる。
【００１７】
［態様８］
前記吸収性物品は、展開された状態において、前記幅方向に沿って延び、前記長手方向に所定間隔で互いに平行に並んだ複数の折り軸を有し、前記複数の折り軸の一つは、前記長手方向において、前記吸収体における前側の端縁よりも前記中心線の側、かつ、前記中心線よりも前側に位置する、態様１乃至７のいずれか一項に記載の吸収性物品。
本吸収性物品では、長手方向において、吸収体における前側の端縁よりも中心線側、かつ中心線よりも前側に、幅方向に延びる折り軸が存在する。吸収性物品が包装された状態では、吸収体はその折り軸で折り曲げられているので、吸収性物品が開封されて使用されるとき、吸収体にはその折り軸で折り曲げられていた跡が残る。それゆえ、吸収性物品の長手方向の前側の領域において、吸収体の長手方向の前側の端縁に向かって液体が移動してきても、その折り軸の跡により、その移動を堰き止めて吸収体の深部や他の箇所へ液体を拡散させることができる。それにより、吸収性物品の長手方向の前側から液体が漏れることをより確実に抑制できる。
【００１８】
［態様９］
前記吸収体における前記中心線よりも前記長手方向の前側の坪量は、前記吸収体における前記中心線よりも前記長手方向の後側の坪量よりも高い、態様１乃至８のいずれか一項に記載の吸収性物品。
本吸収性物品では、吸収体の坪量は、中心線よりも長手方向の前側の方が、中心線の長手方向の後側の方よりも高い。すなわち、液体の吸収量は、中心線よりも長手方向の前側の方が、中心線の長手方向の後側の方よりも高い。そのため、吸収性物品の前側の端部のはみ出しを気にして、装着者が吸収性物品を長手方向の後側に必要以上にずらして装着しても、吸収性物品の長手方向の前側の領域において、吸収体の領域がより十分に確保できるため、長手方向の前側から液体が漏れることをより確実に抑制できる。
【００１９】
［態様１０］
長手方向、幅方向及び厚さ方向を有しており、吸収体を含む吸収本体を備える吸収性物品であって、前記吸収本体は、前記幅方向の両外側に延出する一対のウイング部を含み、前記長手方向における前記一対のウイング部の各々の中心を前記幅方向に結ぶ中心線を有し、前記長手方向において、前記吸収体における前記中心線から前記吸収体の前側の端縁までの長さは、前記吸収体における前記中心線から前記吸収体の後側の端縁までの長さよりも長い、吸収性物品。
本吸収性物品では、長手方向の前側の領域において、液体の排泄物を吸収可能な吸収体の領域を長手方向に十分に長く確保できる。それゆえ、長手方向の前側に機能層を有し、前側の部分が相対的に長い吸収性物品を下着に装着するとき、吸収性物品の前側の端部のはみ出しを気にして、装着者が吸収性物品を長手方向の後側に必要以上にずらして装着しても、吸収性物品の長手方向の前側の領域において、吸収体の領域を十分に確保できるため、長手方向の前側からの排泄物の漏れを抑制できる。
【００２０】
［態様１１］
長手方向、幅方向及び厚さ方向を有しており、吸収体を含む吸収本体と、前記吸収本体の前記長手方向の前側に位置し、所定の機能を有する機能層を含む機能本体と、を備える吸収性物品であって、前記長手方向において、前記吸収体と前記機能層とが前記厚さ方向に重複する重複部を更に備え、前記重複部に、前記吸収体の一部と前記機能層の一部とを前記厚さ方向に圧搾して形成された圧搾部を更に備える、吸収性物品。
本吸収性物品では、吸収体の長手方向の前側の端縁に向かって移動してきた液体の排泄物を、圧搾部により堰き止めて、吸収性物品の長手方向の前側から排泄物が漏れることを確実に抑制できる。また、圧搾部の寸法（幅）が幅方向にある程度長い場合には、重複部での吸収体の剛性を高くすることができる。それにより、吸収性物品が長手方向に長すぎて、長手方向の途中の部分、例えば、吸収体と機能層との中間部分において、撚れや幅入れが生じてしまうという事象を、この圧搾部で抑制できる。
【００２１】
以下、実施形態に係る吸収性物品について、生理用ナプキンを例に説明する。ただし、吸収性物品はその例に限定されるのではなく、本発明の趣旨を逸脱しない限り、他の吸収性物品であってもよい。他の吸収性物品としては、例えばパンティライナー、失禁パッド、及び使い捨ておむつが挙げられる。また、以下、吸収性物品の有する所定の機能について、温感機能を一例として説明する。温感機能は、装着者に皮膚を介して温感を知覚させる機能であり、例えばシートなどに保持された温感剤により実現される。ただし、所定の機能はその例に限定されるものではなく、本発明の趣旨を逸脱しない限り、他の所定の機能であってもよい。他の所定の機能としては、例えば冷感剤などを用いて装着者に皮膚を介して冷感を知覚させる冷感機能、不織布等で肌を覆うことで温かさを知覚させる保温機能などが挙げられる。
【００２２】
本実施形態に係る生理用ナプキン１の構成について説明する。
図１〜図３は本実施形態に係る生理用ナプキン１の構成例を示す図である。図１は、生理用ナプキン１の個包装シート４３を開封し、展開した状態を示す平面図である。図２は、図１に示す生理用ナプキン１における長手方向中心線ＣＬ（後述）に沿った断面図である（個包装シート４３を除く）。図３は、図１に示す生理用ナプキン１を示す背面図である（個包装シート４３を除く）。本実施形態の生理用ナプキン１は、互いに直交する長手方向Ｌ、幅方向Ｗ及び厚さ方向Ｔを有する。図１に描かれた生理用ナプキン１では、図の上側を長手方向Ｌの前側（前方）又は腹側とし、図の下側を長手方向Ｌの後側（後方）又は背側とする。長手方向Ｌ及び幅方向Ｗを含む平面上に置いた生理用ナプキン１を厚さ方向Ｔの上側から見ることを「平面視」といい、平面視で把握される形状を「平面形状」という。長手方向Ｌ及び幅方向Ｗを含む平面内の任意の方向を「平面方向」という。装着者が生理用ナプキン１を装着したとき、厚さ方向Ｔにて相対的に装着者の肌面に近い側及び遠い側となる側をそれぞれ「肌側」及び「非肌側」という。これら定義は、生理用ナプキン１の各資材にも共通に用いられる。
【００２３】
個包装シート４３は、長手方向Ｌの両端部が、生理用ナプキン１の長手方向Ｌの両端部よりも長手方向Ｌの外側に長く、かつ、幅方向Ｗの両端部が、生理用ナプキン１の幅方向Ｗの両端部よりも幅方向Ｗの外側に長くなるように形成されている。すなわち、生理用ナプキン１を個包装シート４３上に載置したとき、平面視で、個包装シート４３の外側に生理用ナプキン１がはみ出さないように載置でき、それにより、生理用ナプキン１を個包装シート４３と共に折り畳んだとき、個包装シート４３の外側に生理用ナプキン１がはみ出さないように包装できる。
【００２４】
生理用ナプキン１は、主に液体の排泄物（例示：経血）を吸収する吸収本体３と、吸収本体３の長手方向Ｌの前側に位置し、肌に温感を知覚させる温感本体５と、を備える。すなわち、生理用ナプキン１は、長手方向Ｌの後方の吸収本体３と、長手方向Ｌの前方の温感本体５と、に区画される。吸収本体３の形状は、概ね一般的な生理用ナプキンの形状であり、幅方向Ｗの両外側に延出する一対のウイング部１７、１７を備えている。温感本体５の形状は特に限定はなく、例えば、三角形や矩形や多角形（角が丸い場合や辺が曲線の場合を含む）、円形や楕円形、生物の形状、又はそれらの組み合わせが挙げられる。生理用ナプキン１は、幅方向Ｗの中心を通り長手方向Ｌに延びる長手方向中心線ＣＬ（仮想線）と、一対のウイング部１７、１７の各々の長手方向Ｌの中心を幅方向Ｗに結んだ（長手方向Ｌの中心を通り幅方向Ｗに延びる）幅方向中心線ＣＷ（仮想線）と、を有する。生理用ナプキン１において、長手方向中心線ＣＬに向かう向き及び側をそれぞれ幅方向Ｗの内向き及び内側とし、遠ざかる向き及び側をそれぞれ幅方向Ｗの外向き及び外側とする。一方、幅方向中心線ＣＷに向かう向き及び側をそれぞれ長手方向Ｌの内向き及び内側とし、遠ざかる向き及び側をそれぞれ長手方向Ｌの外向き及び外側とする。なお、一対のウイング部１７、１７の各々が存在しない場合、幅方向中心線ＣＷは、長手方向Ｌにおいて、吸収本体３における排泄口当接域２１（後述）の中心を通り幅方向Ｗに延びる線とする。本実施形態では、それらは一致するものとする。あるいは、吸収体１１（後述）がいわゆる砂時計型の場合、幅方向中心線ＣＷは、長手方向Ｌにおいて、吸収体１１の幅方向Ｗの寸法が最小となる位置（両端部を除く）を通り幅方向Ｗに延びる線とする。
【００２５】
生理用ナプキン１は、吸収本体３において、装着時に装着者の肌に当接する液透過性シート７と、装着時に着衣（下着）に当接する液不透過性シート９と、液透過性シート７及び液不透過性シート９の間に配置された吸収体１１とを備える。また、生理用ナプキン１は、温感本体５において、装着時に装着者の肌に当接する液透過性シート７と、装着時に着衣に当接する液不透過性シート９と、液透過性シート７及び液不透過性シート９の間に配置された温感剤保持シート１３と、を備える。温感剤保持シート１３は、吸収体１１よりも長手方向Ｌの前側に位置している。そして、吸収本体３における液透過性シート７と、温感本体５における液透過性シート７とは一体のシートである。また、吸収本体３における液不透過性シート９と、温感本体５における液不透過性シート９とは一体のシートである。ただし、一体のシートとは、資材が一枚のシートである場合だけでなく、複数のシートを結合して一体化させたシートも含む。吸収本体３における吸収体１１と、温感本体５における温感剤保持シート１３とは、別の部材である。吸収体１１の長手方向Ｌの前側の端部が、温感剤保持シート１３の長手方向Ｌの後側の端部と厚さ方向Ｔに重複することで、重複部１５が形成される。すなわち、長手方向Ｌにおいて、吸収体１１の前側の端縁１１Ｅ１は、温感剤保持シート１３の後側の端縁１３Ｅ２よりも前側に位置する。この場合、重複部１５では、その吸収体１１の端部がその温感剤保持シート１３の端部上に配置される。長手方向Ｌの前方での排泄物の漏れを抑制するためである。別の実施形態では、温感の機能を重視する場合、重複部１５では、その温感剤保持シート１３の端部がその吸収体１１の端部上に配置される。更に別の実施形態では、その吸収体１１の端部と、その温感剤保持シート１３の端部とは平面視で重複せず（重複部１５は存在せず）、それらの端縁同士が接するか、又は離間している。更に別の実施形態では、吸収体１１の長手方向Ｌの前側の端縁１１Ｅ１の位置が、温感剤保持シート１３の長手方向Ｌの前側の端縁１３Ｅ１の位置と重なるか、又は、それよりも外側に存在する。言い換えると、温感剤保持シート１３が長手方向Ｌの全域に亘って、吸収体１１と重なる。この場合、温感剤保持シート１３を吸収体１１よりも肌側に配置するか、又は、吸収体１１、液透過性シート７若しくは液拡散シート４１に温感剤５０を塗布してもよい。
【００２６】
なお、別の実施形態として、生理用ナプキン１に付与する所定の機能を冷感機能とする場合、温感本体５は同一形状の冷感本体に代替され、温感剤保持シート１３は同一形状の冷感剤保持シートに代替される。また、更に別の実施形態として、生理用ナプキン１に付与する所定の機能を保温機能とする場合、温感本体５は同一形状の保温本体に代替され、温感剤保持シート１３は同一形状の保温性シートに代替される。
【００２７】
本実施形態では、吸収本体３における長手方向Ｌの範囲は、生理用ナプキン１の後方の端縁から、吸収体１１の前方の端縁１１Ｅ１までの範囲とする。一方、温感本体５における長手方向Ｌの範囲は、吸収体１１の前方の端縁１１Ｅ１から、生理用ナプキン１の前方の端縁までの範囲とする。なお、吸収本体３及び温感本体５における幅方向Ｗの範囲は、いずれも全幅の範囲とする。この場合、重複部１５は、吸収本体３に含まれ、温感本体５の温感剤保持シート１３における長手方向Ｌの後側の端部は吸収本体３内へ延出している、といえる。また、吸収本体３は、長手方向Ｌにおいて、幅方向中心線ＣＷから吸収体１１の前方の端縁１１Ｅ１までの前方領域３ａと、幅方向中心線ＣＷから生理用ナプキン１の後方の端縁までの後方領域３ｂと、に区画される。ただし、長手方向Ｌにおける、生理用ナプキン１の前方及び後方の端縁、吸収体１１の前方及び後方の端縁１１Ｅ１、１１Ｅ２、温感剤保持シート１３の前方及び後方の端縁１３Ｅ１、１３Ｅ２は、いずれも長手方向Ｌの最も外側の位置とする。本実施形態では端縁１１Ｅ１、１１Ｅ２、端縁１３Ｅ１、１３Ｅ２は、いずれも長手方向中心線ＣＬとの交差点とする。
【００２８】
生理用ナプキン１では、吸収本体３において、平面視で、長手方向Ｌの中央やや前方寄りで幅方向Ｗの中央に排泄口当接域２１が位置し、その周囲にそれ以外の領域として非排泄口当接域２３が位置する。排泄口当接域２１は、生理用ナプキン１の着用時に、着用者の排泄口に対向又は当接する領域である。排泄口当接域２１は、吸収性物品の種類や用途に応じて決まる。排泄口当接域２１は、例えば長手方向Ｌにて吸収体１１の中央やや前方寄りに、吸収体１１の長手方向Ｌの全長の約１／４〜２／３の長さとされ、幅方向Ｗにて吸収体１１の略中央に、吸収体１１の幅方向Ｗの全長の約１／３〜３／４の幅とされる。本実施形態のように一対のウイング部１７、１７が存在する場合、一対のウイング部１７、１７の各々における長手方向Ｌの中心を幅方向Ｗに結んだ線上に、排泄口当接域２１の長手方向Ｌの中心が位置する。あるいは、吸収体１１がいわゆる砂時計型の場合、吸収体１１の長手方向Ｌの両端部を除いて、吸収体の幅方向Ｗの寸法が最も小さくなる位置に、排泄口当接域２１の長手方向Ｌの中心が位置する。ただし、所定の長さの範囲内の位置ずれを許容するものとする。その所定の長さは、吸収体１１の長手方向Ｌの長さの５％の長さとする。
【００２９】
液透過性シート７は、表面シート７ａと、表面シート７ａの幅方向Ｗの両側に結合された一対のサイドシート７ｂ、７ｂと、を備えている。表面シート７ａの幅方向Ｗの寸法は、略吸収体１１の幅方向Ｗの寸法程度の大きさである。各サイドシート７ｂは、幅方向Ｗの内側の端部に位置し、長手方向Ｌに沿って延びる防漏壁７Ｗを含んでいる。すなわち、液透過性シート７は、一対の防漏壁７Ｗ、７Ｗを含んでいる。各防漏壁７Ｗは、幅方向Ｗにおいて、外側の端縁を固定端とされていて、内側の端縁を自由端とされ、表面シート７ａの厚さ方向Ｔの上方に延出されている。一対の防漏壁７Ｗ、７Ｗは、生理用ナプキン１が装着されたとき自由端が肌側へ起立可能に形成されている。一対の防漏壁７Ｗ、７Ｗは、吸収本体３及び温感本体５に形成されており、排泄物が主に幅方向Ｗの外側へ漏洩することを抑制すると共に、温感本体５の温感の効果により温まった空気が幅方向Ｗの外側へ逃げることを抑制し、保持する。別の実施形態では、液透過性シート７は一対のサイドシート７ｂ、７ｂを有さない。更に別の実施形態では、液透過性シート７は一対の防漏壁７Ｗ、７Ｗを有さない。
【００３０】
生理用ナプキン１は、表面シート７ａの非肌側に当接された、排泄物を平面方向に拡散させる液拡散シート４１を備えている。すなわち、液拡散シート４１は、表面シート７ａと吸収体１１及び温感剤保持シート１３との間に配置されている。液拡散シート４１と表面シート７ａとは、表面シート７ａの肌側の表面から液拡散シート４１へ向かって圧搾することで形成された複数のシート圧搾部（図示されず）を有している。複数のシート圧搾部は、表面シート７ａと液拡散シート４１とを一体化させると共に、装着時に表面シート７ａと液拡散シート４１との間に若干の隙間を形成して、温感の効果により温まった空気を保持し得る。別の実施形態では、生理用ナプキン１は液拡散シート４１を有さない。
【００３１】
吸収体１１は、長手方向Ｌにおいて、略中央に位置する中央領域６２と、中央領域６２の前方に隣接する前方領域６１と、中央領域６２の後方に隣接する後方領域６３と、に区画される。ここで、中央領域６２は、排泄口当接域２１に対応する領域を含み、長手方向Ｌの更に前方寄りまでの範囲に位置する。そして、中央領域６２の坪量は、前方領域６１及び後方領域６３の坪量よりも高い。したがって、吸収体１１では、幅方向中心線ＣＷよりも長手方向Ｌの前側の領域の坪量が、幅方向中心線ＣＷよりも長手方向Ｌの後側の領域の坪量よりも高い。言い換えると、吸収体１１では、幅方向中心線ＣＷから長手方向Ｌの前方の端縁１１Ｅ１までの領域の坪量は、幅方向中心線ＣＷから長手方向Ｌの後方の端縁１１Ｅ２までの領域の坪量よりも高い。それにより、長手方向Ｌの中央やや前方寄りの排泄口当接域２１での吸収量を高くすると共に、装着者の排泄口が排泄口当接域２１よりも長手方向Ｌの前方へややずれた状態で、生理用ナプキン１が装着された場合でも、吸収体１１で確実に排泄物を吸収することが可能となる。別の実施形態では、吸収体１１の坪量は、上記とは異なる特定の部分で高い、又は、全領域で概ね一定である。
【００３２】
吸収体１１は、吸収コア（図示されず）及び、吸収コアを包み込むコアラップ（図示されず）を備えている。そして、吸収体１１は、コアラップの肌側の表面から吸収コアの内部へ向かって圧搾することで形成された複数の吸収体圧搾部（図示されず）を有する。それら複数の吸収体圧搾部は、吸収体１１の型崩れを抑制する。更に、複数の吸収体圧搾部は、非肌側に向かって窪んでいるので、液拡散シート４１との間に若干の空間を形成して、温感の効果により温まった空気を保持し得る。別の実施形態では、吸収体１１はコアラップを用いない。更に別の実施形態では、吸収体１１は吸収体圧搾部を有さない。
【００３３】
温感剤保持シート１３（機能層）は、液体（排泄物）を保持可能な、不織布のような一層又は複数層のシートから構成されており、温感剤５０（機能剤）を含んでいる。温感剤保持シート１３の形状は、温感剤５０の漏れを抑制する、生理用ナプキン１の周縁部２７の内側に配置できれば、特に限定はなく、例えば温感本体５の形状を相似的に縮小した形状が挙げられる。温感剤５０は、生理用ナプキン１の装着者の身体又はその近傍を加熱等することなしに、皮膚の温度受容器（温熱知覚受容器）を刺激して、装着者に温感を知覚させる温感成分を含んでおり、温感成分を溶解ないし分散し得る溶媒成分を更に含んでいる。温感剤５０は、気体や液体の形態で、温度、気圧、外力などの影響により、配置された場所から移動し得る流体成分又は揮発成分を含んでおり、例えば温感成分及び溶媒成分の少なくとも一方が流体成分又は揮発成分を含んでいる。そして、温感剤保持シート１３が液透過性シート７よりも非肌側に配置されていても、温感剤保持シート１３の温感剤５０が、生理用ナプキン１の着用時において例えば溶出又は揮発等により液透過性シート７を透過し、装着者の下腹部の肌に接触することができる。それにより、温感剤５０の温感成分が皮膚の温熱知覚受容器を刺激し、装着者の下腹部に温感を付与することができる。
【００３４】
温感剤５０は、平面視で温感剤保持シート１３における周縁部を除く内側の中央部２５に配置される。温感剤保持シート１３の幅方向Ｗの長さは、吸収体１１の幅方向Ｗの長さよりも長くなるように構成される。それにより、温感剤５０の効果が、吸収体１１よりも幅方向Ｗに広い領域に及ぶようになっている。なお、別の実施形態では、平面視で、温感剤５０は、温感剤保持シート１３における周縁部を含む全体に配置される。更に別の実施形態では、温感剤５０は、温感剤保持シート１３の所定の部分、例えば表面シート７ａの幅方向Ｗの範囲で、長手方向Ｌに延び、幅方向Ｗに並んだ複数のストライプ状の部分に配置される。更に別の実施形態では、温感剤保持シート１３の幅方向Ｗの長さは吸収体１１の幅方向Ｗの長さ以下である。更に別の実施形態では、温感剤５０は溶媒成分を含まない。更に別の実施形態では、温感剤５０は、温感本体５及び吸収本体３のうち、少なくとも吸収本体３（例示：液透過性シート７、吸収体１１）に配置される。更に別の実施形態では、温感本体５は、温感剤保持シート１３の非肌側に温感剤保持シート１３を支持する支持シートを有する。
【００３５】
なお、別の実施形態として、生理用ナプキン１に付与する所定の機能を冷感機能とする場合、冷感剤保持シートは冷感剤（機能剤）を含み、冷感剤は冷感成分と溶媒成分とを含んでいる。また、更に別の実施形態として、生理用ナプキン１に付与する所定の機能を保温機能とする場合、保温性不織布シートは、機能剤を含まず、例えば、保温性の高い不織布を含んでいる。
【００３６】
温感剤保持シート１３は、液体を保持可能なシート（例示：不織布）から構成されているので、吸収体１１ほどではないが、排泄物を吸収することができる。したがって、温感剤保持シート１３は、吸収体１１よりも低い吸収性能を有する低吸収部と見ることができる。低吸収部は、温感本体５に属しているが、長手方向Ｌの前方での排泄物の吸収を補助することができる。ここで、温感剤保持シート１３と吸収体１１との関係から、吸収体１１と低吸収部（温感剤保持シート１３）とは、幅方向Ｗから見て、長手方向Ｌに連続しているということができる。同様に、吸収体１１の一部と低吸収部の一部とは、重複部１５において厚さ方向Ｔに重複しており、吸収体１１の一部は、低吸収部の一部における肌側の部分に乗り上げて重複している。なお、別の実施形態として、温感本体５が温感剤保持シート１３の非肌側に、例えば平面視で温感剤保持シート１３と略同一形状の支持シート（例示：不織布）を有する場合、その支持シートは、温感剤保持シート１３を含めて又は含めずに、吸収体１１よりも低い吸収性能を有する低吸収部と見ることができる。更に別の実施形態では、吸収性能の向上のために、その支持シートは、パルプ繊維を含む薄い吸収体である。
【００３７】
生理用ナプキン１は、吸収本体３及び温感本体５の両方において、生理用ナプキン１を装着者の着衣に固定するための粘着部を備えている。粘着部の一方の面は、液不透過性シート９に固定され、他方の面は、生理用ナプキン１の個包装シート４３に仮固定されている。このうち、吸収本体３には、平面視で、吸収体１１と重なる領域に配置され、例えば長手方向Ｌに沿って延び、幅方向Ｗに間欠的に並ぶ粘着部７３と、ウイング部１７の幅方向Ｗの略中央部に、長手方向Ｌに沿って延びる粘着部７１と、が配置されている。一方、温感本体５には、幅方向Ｗの両端部の領域に粘着部７２が配置されている。別の実施形態では、粘着部の他方の面は、個包装シート４３に固定された剥離シートに仮固定される。
【００３８】
ただし、温感剤保持シート１３及び粘着部７２は、厚さ方向Ｔにおいて、互いに一部分だけ重複するか、又は、互いに全く重複しない位置に配置される。温感剤５０が粘着部７２に達して、粘着部７２を劣化させるのを抑制するためである。例えば、粘着部７２は、温感剤５０が配置された、温感剤保持シート１３における幅方向Ｗの少なくとも中央部に対して、厚さ方向Ｔに重複しない位置に形成される。ここで、温感剤保持シート１３における幅方向Ｗの中央部２５は、温感機能を高める観点から、長手方向中心線ＣＬから、幅方向Ｗの両側に、それぞれ温感剤保持シート１３の幅方向Ｗの幅の３０％までの範囲であり、好ましくは４０％までの範囲であり、より好ましくは４５％までの範囲である。
【００３９】
個包装体（生理用ナプキン１＋個包装シート４３）は、図１に示すように、長手方向第１折線Ｆ１（例示：左方折線）及び長手方向第２折線Ｆ２（例示：右方折線）と、幅方向第１折線Ｆ３（例示：前方折線）及び幅方向第２折線Ｆ４（例示：後方折線）と、を有する。ただし、長手方向第１折線Ｆ１及び長手方向第２折線Ｆ２は、長手方向Ｌに沿って延び、幅方向Ｗの一方側から他方側へ所定間隔で互いに平行に並んでいる。幅方向第１折線Ｆ３及び幅方向第２折線Ｆ４は、幅方向Ｗに沿って延び、長手方向Ｌの一方側から他方側へ所定間隔で互いに平行に並んでいる。すなわち、長手方向折線は２本、幅方向折線は２本である。ただし、幅方向第１折線Ｆ３は、生理用ナプキン１の前方に配置され、幅方向第２折線Ｆ４は、生理用ナプキン１の後方に配置される。幅方向第１折線Ｆ３は、吸収本体３の前側の端部及び温感本体５の後側の端部に位置する。具体的には、幅方向第１折線Ｆ３は、吸収体１１における長手方向Ｌの前側の端縁１１Ｅ１より幅方向中心線ＣＷ側に位置する。ただし、幅方向第１折線Ｆ３及び幅方向第２折線Ｆ４は、排泄口当接域２１を避けるように、排泄口当接域２１よりも長手方向Ｌの前側及び後側に位置する。なお、別の実施形態では、長手方向折線は無い。更に別の実施形態では、幅方向折線は１本又は３本以上である。
【００４０】
そして、生理用ナプキン１では、個包装されるとき、個包装シート４３と共に、長手方向第１折線Ｆ１及び長手方向第２折線Ｆ２を基軸として、両折線よりも幅方向Ｗの外側の部分（一対の外側部分）がそれぞれ肌側の表面に向かって折畳まれる。次いで、個包装シート４３と共に折り畳まれた生理用ナプキン１では、幅方向第１折線Ｆ３及び幅方向第２折線Ｆ４を基軸として、両折線よりも長手方向Ｌの外側の部分がそれぞれ肌側の表面に向かって折畳まれる。その後、個包装シート４３の一端部が、それに対向する個包装シート４３に固定用テープ４５で固定される。それにより、生理用ナプキン１の個包装体が形成される。そして、生理用ナプキン１は、使用されるとき、すなわち個包装が開封されるとき、個包装されるときとは逆の手順で開封される。
【００４１】
また、生理用ナプキン１は、複数の圧搾部３１、３３を有する。複数の圧搾部３１は、主に吸収本体３において、排泄口当接域２１を囲むように、曲線状で、連続的又は間欠的に配置される。複数の圧搾部３３は、吸収本体３において、複数の圧搾部３１に囲まれた領域に、ドット状に分散して配置される。圧搾部３１、３３は、液透過性シート７及び吸収体１１（重複部１５では更に温感剤保持シート１３）を肌側から非肌側へ向かって圧搾することで形成される。なお、複数の圧搾部３１、３３の形状及び配置は任意である。別の実施形態では、更に、温感本体５において、液透過性シート７及び温感剤保持シート１３（重複部１５では更に吸収体１１）を肌側から非肌側に圧搾することで形成される一つ又は複数の圧搾部を備える。その圧搾部の形状は任意である。
【００４２】
また、生理用ナプキン１は、シール部２９を有する。シール部２９は、液透過性シート７と液不透過性シート９とをそれらの周縁部２７で、熱シールなどの公知の方法で接合・封止する。生理用ナプキン１では、液透過性シート７の非肌側の面と吸収体１１及び温感剤保持シート１３の肌側の面とは接着剤（例示：ホットメルト接着剤）等で接合され、吸収体１１及び温感剤保持シート１３の非肌側の面と液不透過性シート９の肌側の面とは接着剤（同上）等で接合される。
【００４３】
ここで、生理用ナプキン１は、吸収本体３の他に、長手方向Ｌの前側（腹側）の部分に温感本体５を有している。そのため、生理用ナプキン１は、通常の生理用ナプキンと比較して、全体として長手方向Ｌに長くなる。それゆえ、装着者が、生理用ナプキン１を下着に装着する場合、長手方向Ｌの前側の部分（温感本体５）が下着（のウエストの開口部）の前側の端縁から外側にはみ出さないように意識しつつ、装着することになる。その際、生理用ナプキン１の前側の端部のはみ出しをより確実に防止できるように、装着者が生理用ナプキン１を長手方向Ｌの後側（背側）に必要以上にずらして装着する場合が考えられる。すなわち、液体の排泄物を吸収するのに好適な吸収本体３の吸収体１１の位置が必要以上に後側にずれる場合が考えられる。そうなると、生理用ナプキン１の長手方向Ｌの前側の領域において、吸収体１１の領域が減少してしまい、排泄物が吸収体１１によって十分に吸収されず、前側から漏れるおそれがある。
【００４４】
そこで、本実施形態の生理用ナプキン１では、長手方向Ｌにおいて、幅方向中心線ＣＷと、吸収体１１の前側の端縁１１Ｅ１と、の距離は、吸収体１１の前側の端縁１１Ｅ１と、生理用ナプキン１の前側の端縁と、の距離よりも長くなるように構成される。言い換えると、生理用ナプキン１は、長手方向Ｌにおいて、吸収本体３の前方領域３ａの長さが温感本体５の長さよりも長くなるように構成されている。
【００４５】
すなわち、生理用ナプキン１における幅方向中心線ＣＷよりも長手方向Ｌの前側の領域において、吸収体１１が存在する領域の長手方向Ｌの長さが、吸収体１１が存在しない領域の長手方向Ｌの長さよりも長い。そのため、生理用ナプキン１の長手方向Ｌの前側の領域において、排泄物（例示：経血）を吸収可能な吸収体１１の領域を長手方向Ｌに十分に確保できる。それゆえ、長手方向Ｌにおいて、前側に温感本体５を有し、前側の部分が相対的に長い生理用ナプキン１を下着に装着するとき、前側の端部のはみ出しを気にして、装着者が生理用ナプキン１を後側に必要以上にずらして装着しても、生理用ナプキン１の前側の領域において、吸収体１１の領域が十分に確保できるため、前側から排泄物が漏れることを抑制できる。
【００４６】
前側からの排泄物の漏れを抑制する効果の観点から、吸収本体３の前方領域３ａの長さの下限は、温感本体５の長さの、好ましくは１１０％以上であり、より好ましくは１２０％以上であり、更により好ましくは１３０％以上である。一方、吸収本体３の前方領域３ａの長さの上限は、特に制限されるものではない。例えば、前方領域３ａの吸収体１１の大きさを後方領域３ｂの吸収体１１の大きさ以下に設定する場合、その上限は、温感本体５の長さの、好ましくは３００％以下であり、より好ましくは２００％以下であり、更により好ましくは１６０％以下である。温感本体５の温感の効果を十分に得る観点からである。例えば、前方領域３ａの吸収体１１の大きさを幅方向中心線ＣＷから生理用ナプキン１の長手方向Ｌの前側の端縁までとする場合、言い換えると、温感剤保持シート１３が長手方向Ｌの全域に亘って、吸収体１１と重なる場合、実質的にその上限はないことになる。このような場合、前方領域３ａの吸収体１１の長手方向Ｌの長さは、後方領域３ｂの吸収体１１の長手方向Ｌの長さよりも大きくなる。温感本体５の温感の効果を維持しつつ、長手方向Ｌ前側の領域での吸収性能をより向上させることができる。
【００４７】
次に、本実施形態に係る生理用ナプキン１の好ましい使用方法について説明する。
装着者が生理用ナプキン１を装着する場合、まず、吸収本体３の吸収体１１の排泄口当接域２１が装着者の排泄口に対応するように、生理用ナプキン１を着衣（例示：ショーツ）に固定する。それにより、温感本体５の温感剤保持シート１３が装着者の下腹部に対応するように生理用ナプキン１が着衣に固定される。そして、温感本体５の肌側の面が装着者の下腹部の肌に接した状態で、生理用ナプキン１が使用される。
【００４８】
言い換えると、生理用ナプキン１は、吸収体１１の排泄口当接域２１が装着者の排泄口に当接するように吸収本体３が着衣に配置されたとき、温感剤保持シート１３が装着者の下腹部に対応する位置に配置されるような形状を有している。したがって、吸収本体３の吸収体１１の排泄口当接域２１と、温感本体５の温感剤保持シート１３との距離は、装着者の排泄口と、下腹部との距離（肌面上の距離）とに概ね等しい。
【００４９】
本実施形態では、温感剤保持シート１３の温感剤５０（機能剤）は、ＴＲＰチャネルを活性化する温感成分と、溶媒成分とを含んでいる。そのため、生理用ナプキン１が着衣に固定され、使用されると、温感剤保持シート１３に含まれる温感剤５０が、液透過性シート７を透過して、装着者の肌に接触し、装着者の肌において、温感成分が接触している温感剤接触部分のＴＲＰチャネルを効率よく活性化し、装着者の下腹部に温感を効率よく付与することができる。
【００５０】
装着者の下腹部に温感を付与することにより、装着者の下腹部の肌における温感成分に接していた温感剤接触部分のＴＲＰチャネルが活性化される結果、交感神経系を介して、温感剤接触部分から熱が生じ、装着者の肌における温感成分の接触部分の温度を上昇させることが期待できる。その結果、装着者の子宮に近い部位を温め、痛み物質プロスタグランジンを排出させ、装着者の生理痛を緩和することが期待される。装着者の子宮に近い部位を温めることにより、装着者の月経前症候群（Ｐｒｅｍｅｎｓｔｒｕａｌ  Ｓｙｎｄｒｏｍｅ）、冷え性、更年期障害等を軽減することが期待される。血行促進（リンパの流れの促進）により老廃物排出と冷え改善、脂肪燃焼向上、免疫力向上などが期待される。
【００５１】
本実施形態の好ましい態様では、温感本体（機能本体）５は、吸収体１１よりも低い吸収性能を有する低吸収部（例示：温感剤保持シート１３）を含んでいる。低吸収部は、液体の排泄物（例示：経血）の吸収量は吸収体１１より低いが、排泄物をある程度は吸収可能な部分である。そのため、生理用ナプキン１の長手方向Ｌの前側の領域において、吸収体１１の長手方向Ｌの前側の端縁から排泄物が一部漏れ出たとしても、低吸収部でその排泄物を捕獲することができる。それにより、生理用ナプキン１の長手方向の前側から排泄物が漏れることをより抑制できる。
【００５２】
また、本実施形態の好ましい態様では、吸収体１１と低吸収部（例示：温感剤保持シート１３）とは、幅方向Ｗから見て、長手方向Ｌに連続している。したがって、両者は長手方向Ｌに実質的に互いに隣接している。そのため、生理用ナプキン１の長手方向Ｌの前側の領域において、吸収体１１の長手方向Ｌの前側の端縁からの排泄物が一部漏れ出たとしても、隣接する低吸収部でその排泄物を容易に捕獲することができる。それにより、生理用ナプキン１の長手方向Ｌの前側から液体が漏れることをより容易に抑制できる。ただし、幅方向Ｗから見て長手方向Ｌに連続するとは、吸収体１１及び低吸収部のうちの一方が他方に長手方向Ｌ接している、厚さ方向Ｔに重なっている、及び、幅方向Ｗに隣り合っている（必ずしも接していない）、の少なくとも一つの場合を含む。
【００５３】
また、本実施形態の好ましい態様では、吸収体１１の一部と低吸収部（例示：温感剤保持シート１３）の（少なくとも）一部とは厚さ方向Ｔに重複している（例示：重複部１５）。言い換えると、低吸収部の一部又は全部と吸収体１１の一部とは厚さ方向Ｔに重複している。そのため、生理用ナプキン１品の長手方向Ｌの前側の領域において、吸収体１１の長手方向Ｌの前側の端縁に液体の排泄物が達したとしても、そのまま重複する低吸収部にその排泄物を移行させて吸収することができる。それにより、生理用ナプキン１の長手方向Ｌの前側から排泄物が漏れることをより容易に抑制できる。
【００５４】
また、本実施形態の好ましい態様では、吸収体１１の一部は、低吸収部（例示：温感剤保持シート１３）の一部における肌側の部分に重複している（例示：重複部１５）。すなわち、重複部分において、吸収体１１の一部が低吸収部の一部に乗り上げて、より肌側に近づくことができる。それにより、生理用ナプキン１の長手方向Ｌの前側の領域において、肌面を伝って液体の排泄物が漏れる伝え漏れをより確実に抑制でき、したがって、生理用ナプキン１の長手方向Ｌの前側から排泄物が漏れることをより確実に抑制できる。
【００５５】
また、本実施形態の好ましい態様では、生理用ナプキン１は、吸収体１１の一部と低吸収部（例示：温感剤保持シート１３）の一部とを厚さ方向Ｔに重複させつつ圧搾して形成された圧搾部（例示：圧搾部３１の長手方向Ｌの前側の一部）を更に備える。それゆえ、生理用ナプキン１の長手方向Ｌの前側の領域において、吸収体１１の長手方向Ｌの前側の端縁に向かって液体の排泄物が移動してきても、圧搾部３１により、その移動を堰き止めて吸収体１１の深部や他の箇所へ排泄物を拡散させることができる。それにより、生理用ナプキン１の長手方向Ｌの前側から排泄物が漏れることをより確実に抑制できる。
【００５６】
また、本実施形態の好ましい態様では、生理用ナプキン１は、吸収体１１と機能層（例示：温感剤保持シート１３）とが厚さ方向Ｔに重複する重複部１５において、吸収体１１の（長手方向Ｌの前側の）一部と機能層の（長手方向Ｌの後側の）一部とを厚さ方向Ｔに圧搾して形成された圧搾部（例示：圧搾部３１の長手方向Ｌの前側の一部）を更に備える。それにより、吸収体１１の長手方向Ｌの前側の端縁に向かって移動してきた液体の排泄物を、圧搾部３１により堰き止めて、生理用ナプキン１の長手方向Ｌの前側から排泄物が漏れることを確実に抑制できる。
【００５７】
また、図４は、実施形態に係る吸収性物品の他の構成例を示す平面図である。この図に示される本実施形態の別の好ましい態様では、生理用ナプキン１は、吸収体１１と機能層（例示：温感剤保持シート１３）とが厚さ方向Ｔに重複する重複部１５において、吸収体１１の（長手方向Ｌの前側の）一部と機能層の（長手方向Ｌの後側の）一部とを厚さ方向Ｔに圧搾して形成された圧搾部３１ａを更に備える。この場合にも、吸収体１１の長手方向Ｌの前側の端縁に向かって移動してきた液体の排泄物を、圧搾部３１ａにより堰き止めて、生理用ナプキン１の長手方向Ｌの前側から排泄物が漏れることを確実に抑制できる。また、幅方向Ｗにおいて、圧搾部３１ａの寸法（幅）は、吸収体１１の寸法（幅）の少なくとも３０％以上、好ましくは５０％以上、より好ましくは７０％以上を占めている。それにより、重複部１５での吸収体１１の剛性を高くすることができる。それにより、生理用ナプキン１が長手方向Ｌに長すぎて、長手方向Ｌの途中の部分、例えば、吸収体１１と機能層（例示：温感剤保持シート１３）との中間部分において、撚れや幅入れが生じてしまうという事象を、この圧搾部３１ａで抑制できる。
【００５８】
また、本実施形態の好ましい態様では、幅方向Ｗに延びる複数の折り軸（例示：幅方向第１折線Ｆ３及び幅方向第２折線Ｆ４）の一つ（例示：幅方向第１折線Ｆ３）は、長手方向Ｌにおいて、吸収体１１における前側の端縁１１Ｅ１よりも幅方向中心線ＣＷ側、かつ、幅方向中心線ＣＷよりも前側に位置する。すなわち、長手方向Ｌにおいて、吸収体１１の前側の端部における前側の端縁１１Ｅ１よりも幅方向中心線ＣＷ側に、折り軸（幅方向第１折線Ｆ３）が存在する。ここで、生理用ナプキン１の個包装状態では、吸収体１１は少なくともその折り軸で折り曲げられているので、生理用ナプキン１が開封されて使用されるとき、吸収体１１にはその折り軸で折り曲げられていた跡が残る。それゆえ、生理用ナプキン１の長手方向Ｌの前側の領域において、吸収体１１の長手方向の前側の端縁に向かって液体の排泄物が移動してきても、その折り軸の跡により、その移動を堰き止めて吸収体１１の深部や他の箇所へ排泄物を拡散させることができる。それにより、生理用ナプキン１の長手方向Ｌの前側からの排泄物の漏洩をより確実に抑制できる。
【００５９】
また、本実施形態の好ましい態様では、吸収体１１における幅方向中心線ＣＷよりも長手方向Ｌの前側（前方領域３ａ）の坪量は、吸収体１１における幅方向中心線ＣＷよりも長手方向Ｌの後側（後方領域３ｂ）の坪量よりも高い。すなわち、液体の排泄物を吸収可能な量は、幅方向中心線ＣＷよりも長手方向の前側の方が、後側の方よりも高い。そのため、生理用ナプキン１の前側の端部のはみ出しを気にして、装着者が生理用ナプキン１を長手方向Ｌの後側に必要以上にずらして装着しても、生理用ナプキン１の長手方向Ｌの前側の領域において、吸収体１１の領域がより十分に確保できるため、長手方向Ｌの前側から排泄物が漏れることをより確実に抑制できる。
【００６０】
上記各実施形態において、所定の機能を有する機能層（例示：温感剤保持シート１３）が有する機能剤（例示：温感剤５０）に含まれる機能成分は温感成分である。しかし、本発明はこの例に限定されず、機能成分の種類は他の種類であってもよく、例えば、冷感剤の冷感成分や発熱剤の発熱成分であってもよい。冷感剤を用いる場合、機能層は、例えば、冷感成分と溶媒成分とを含む冷感剤を有するシートである。発熱剤を用いる場合、機能層は、例えば、発熱成分と溶媒成分とを含む発熱剤を有するシートである。また、所定の機能が保温機能の場合、機能層は保温性の高い（例示：温められた空気を保持し易い）不織布のようなシートであり、機能剤は必ずしも含まない。
【００６１】
機能剤は、生理用ナプキン１が使用されるまでに揮発したり、他の領域へ移動したりすることを防止するため、水崩壊性の保護材、例えば、マイクロカプセルに保護されていてもよい。マイクロカプセルは、機能剤を内包し、液体（例示：経血、尿、汗）に触れると崩壊し、機能剤を外部に放出させる。放出された機能剤は、着用者の体温等により気化したり、着用者の肌に接触したりすることで、着用者に対して所定の機能を発揮する。
【００６２】
マイクロカプセルの素材としては、例えば、糖類、例えば、単糖類（例示：ブドウ糖）、二糖類（例示：ショ糖）及び多糖類（例示：デキストリン、グルコマンナン、アルギン酸ナトリウム、水溶性でんぷん）、ゼラチン、水溶性ポリマー（例示：ポリビニルアルコール、ポリ酢酸ビニル）等が挙げられる。
【００６３】
マイクロカプセルは市販されており、例えば、Ｓｙｍｒｉｓｅ社から市販される、ＩＮＣＡＰ（商標）等が挙げられる。また、マイクロカプセルは、例えば、水にマイクロカプセルの素材を溶解させて水溶液を形成し、当該水溶液に機能剤及び界面活性剤を混合し、その水溶液をスプレーしながら減圧乾燥することにより製造することができる。
【００６４】
また、図１〜図４を用いて説明される実施形態とは別の実施形態として、生理用ナプキンは、吸収体１１における幅方向中心線ＣＷから吸収体１１における長手方向Ｌの前側の端縁１１Ｅ１までの長さが、吸収体１１における幅方向中心線ＣＷから吸収体１１における長手方向Ｌの後側の端縁１１Ｅ２までの長さよりも長い。
具体的には、例えば、図１や図４の生理用ナプキン１において、吸収体１１が長手方向Ｌの前側に長く、吸収体１１の前側の端縁１１Ｅ１が、温感剤保持シート１３の長手方向Ｌの前側の端縁１３Ｅ１の近傍に位置する場合が考え得る。あるいは、例えば、温感剤保持シート１３にも吸収体としての機能（液体吸収性及び液体保持性）を有するため、吸収体ともみなせる場合が考えられる。あるいは、例えば、機能層（例示：温感剤保持シート１３）を備えず、吸収体１１が長手方向Ｌの前側に長く、温感剤保持シート１３の領域にまで延在している場合が考えられる。
この別の実施形態により、生理用ナプキン１の長手方向Ｌの前側の領域において、液体の排泄物を吸収可能な吸収体１１の領域を長手方向Ｌに十分に長く確保できる。それゆえ、長手方向Ｌの前側に機能層（例示：温感剤保持シート１３）を有する場合などで、前側の部分が相対的に長い生理用ナプキン１を下着に装着するとき、生理用ナプキン１の前側の端部のはみ出しを気にして、装着者が生理用ナプキン１を長手方向Ｌの後側に必要以上にずらして装着しても、生理用ナプキン１の長手方向Ｌの前側の領域において、吸収体１１の領域を十分に確保できるため、長手方向Ｌの前側からの排泄物の漏れを抑制できる。
【００６５】
（生理用ナプキン１における各資材等）
次に、各実施形態における生理用ナプキン１における各資材等について説明する。
【００６６】
上記の各実施形態における機能層としての温感剤保持シート１３は、ＴＲＰチャネル（温度受容器（温熱知覚受容器））を活性化する温感成分と溶媒成分とを含む温感剤５０を有している。
【００６７】
温感剤５０は、例えば、ＴＲＰチャネルを活性化する温感成分と、溶媒成分とを含んでいる。温感成分としては、ＴＲＰチャネルを活性化するものであれば、特に制限されず、例えば、ＴＲＰＶ１レセプターに対するアゴニスト、ＴＲＰＶ３レセプターに対するアゴニスト等が挙げられ、ＴＲＰＶ１に対するアゴニストが好ましい。ＴＲＰＶ１レセプターは、活性化温度閾値が４３℃超と高く、装着者に高い温感を付与できるからである。
【００６８】
温感成分は、装着者の安心感の観点から、植物由来の化合物が好ましい。温感成分としては、例えば、カプシコシド、カプサイシン、カプサイシノイド類（ジヒドロカプサイシン、ノルジヒドロカプサイシン、ホモジヒドロカプサイシン、ホモカプサイシン、ノニバミド等）、カプサンチン、ニコチン酸ベンジル、ニコチン酸β−ブトキシエチル、Ｎ−アシルワニルアミド、ノナン酸バニリルアミド、多価アルコール、唐辛子末、唐辛子チンキ、唐辛子エキス、ノナン酸バニリルエーテル、バニリルアルコールアルキルエーテル誘導体（例示：バニリルエチルエーテル、バニリルブチルエーテル、バニリルペンチルエーテル、バニリルヘキシルエーテル）、イソバニリルアルコールアルキルエーテル、エチルバニリルアルコールアルキルエーテル、ベラトリアルアルコール誘導体、置換ベンジルアルコール誘導体、置換ベンジルアルコールアルキルエーテル、バニリンプロピレングリコールアセタール、エチルバニリンプロピレングリコールアセタール、ショウガエキス、ジンジャーオイル、ジンゲロール、ジンゲロン、ヘスペリジン、及びピロリドンカルボン酸、並びにそれらの任意の組み合わせが挙げられる。それらの中でも、温感成分は、装着者が痛さを感じにくい観点から、カプサイシンではないことが好ましく、バニリルアルコールアルキルエーテル誘導体（例示：バニリルエチルエーテル、バニリルブチルエーテル、バニリルペンチルエーテル、バニリルヘキシルエーテル）、ショウガエキス、ジンジャーオイル、ジンゲロール、及びジンゲロン、並びにそれらの任意の組合わせがより好ましい。
【００６９】
冷感剤は、例えば、ＴＲＰチャネルを活性化する冷感成分と、溶媒成分とを含んでいる。冷感成分としては、ＴＲＰチャネルを活性化するものであれば、特に制限されず、例えば、ＴＲＰＭ８レセプターに対するアゴニスト、ＴＲＰＡ１レセプターに対するアゴニスト等が挙げられ、ＴＲＰＭ８レセプターに対するアゴニストであることが好ましい。装着者に、過度の冷感を付与しないためである。冷感成分としては、例えば、メントール（例示：ｌ−メントール）及びその誘導体（例示：乳酸メンチル、メンチルグリセリルエーテル（例示：ｌ−メンチルグリセリルエーテル））、サリチル酸メチル、カンファー、植物（例示：ミント、ユーカリ）由来の精油等が挙げられる。
【００７０】
溶媒成分としては、温感成分及び冷感成分を含むことができるものであれば、特に限定されず、例えば、親油性溶媒及び親水性溶媒が挙げられる。このような溶媒成分は、温感成分及び冷感成分を、溶解、分散等することができる。親油性溶媒としては、例えば、油脂があげられる。油脂としては、例えば、天然油（例示：トリグリセリド等の脂肪酸エステル、ヤシ油、アマニ油等）、炭化水素（例示：パラフィン（例示：流動パラフィン））等が挙げられる。親水性溶媒としては、例えば、水及びアルコールが挙げられる。アルコールとしては、例えば、メタノール、エタノール、エチレングリコール、グリセリン等の低級アルコール、カプリルアルコール、ラウリルアルコール、ミリスチルアルコール等の高級アルコール等が挙げられる。それらの中でも、溶媒成分としては、揮発性を制御しやすい、特に揮発性を下げやすい観点からは、油脂（親油性溶媒）又はアルコール（親水性溶媒）が好ましい。また、生理用ナプキン１では、吸収性を阻害しにくい観点から、上記溶媒成分は親油性溶媒であることが好ましい。
【００７１】
温感剤５０における温感成分の濃度は、好ましくは１〜５０質量％であり、より好ましくは３〜３０質量％であり、さらに好ましくは５〜１５質量％である。一方、冷感剤における冷感成分の濃度は、好ましくは５〜９０質量％であり、より好ましくは１０〜８０質量％であり、さらに好ましくは３０〜７０質量％である。いずれも、温感又は冷感の効果の観点からである。また、生理用ナプキン１では、温感剤５０又は冷感剤における温感成分又は冷感成分の坪量は、好ましくは０．００１〜３０ｇ／ｍ２であり、より好ましくは０．０１〜２０ｇ／ｍ２であり、さらに好ましくは０．１〜１０ｇ／ｍ２である。装着者に温感又は冷感を付与する観点からである。
【００７２】
生理用ナプキン１では、温感剤又は冷感剤は、上述の温感成分又は冷感成分及び溶媒成分以外に、装着者に温感又は冷感を付与する効果を阻害しない範囲で、所望の作用を有する少なくとも一種の他の成分を含むことができる。そのような少なくとも一種の他の成分としては、例えば、抗菌剤や皮膚収斂剤や抗炎症剤のような薬剤、ビタミン、アミノ酸、ゼオライト、ヒアルロン酸、コラーゲン、ワセリン、トレハロース、ｐＨ調整剤、保湿剤、香料などが挙げられる。
【００７３】
生理用ナプキン１の温感剤は、剤自体が発熱する発熱剤とは異なり、低温やけどを起こし難く、かつ、粘着部７２等が軟化し難くので生理用ナプキン１を使用後に下着等から取り外す際に、粘着部７２等が下着等に残り難く、好ましい。
【００７４】
生理用ナプキン１において、液透過性シート７の素材としては、液透過性を有するものであれば特に制限はなく、例えば、布帛（例示：不織布、織布、編物）、開孔フィルム等が挙げられる。布帛としては、生理用ナプキン１の製造し易さの観点から不織布が好ましい。不織布としては、例えば、エアレイドパルプ、エアスルー不織布、スパンボンド不織布、ポイントボンド不織布、スパンレース不織布、ニードルパンチ不織布、メルトブローン不織布、及びこれらの組み合わせ（例示：ＳＭＳ）が挙げられる。液透過性シート７は、好ましくは５〜１００ｇ／ｍ2、より好ましくは１０〜５０ｇ／ｍ2の坪量を有する。液透過性シート７は、好ましくは０．００１ｇ／ｃｍ３〜０．６ｇ／ｃｍ３、より好ましくは０．００３ｇ／ｃｍ３〜０．１ｇ／ｃｍ３の繊維密度を有する。
【００７５】
布帛を構成する繊維としては、例えば、天然繊維、合成繊維、及び半合成繊維が挙げられる。天然繊維としては、例えば、パルプ繊維及び再生セルロース繊維が挙げられる。再生セルロース繊維としては、例えば、レーヨン繊維が挙げられる。半合成繊維としては、例えば、アセテート繊維のような半合成セルロース繊維が挙げられる。合成繊維としては、例えば、熱可塑性繊維が挙げられる。熱可塑性繊維としては、例えば、ポリエチレンやポリプロピレンのようなポリオレフィン系ポリマー、ポリエチレンテレフタレート（ＰＥＴ）やポリブチレンテレフタレートやポリペンチレンテレフタレートのようなポリエステル系ポリマー、ナイロン６やナイロン６，６のようなポリアミド系ポリマー、アクリル系ポリマー、ポリアクリロニトリル系ポリマー、又はそれらの変性物、あるいはそれらの組み合わせ等から形成された繊維が挙げられる。開孔フィルムとしては、例えば、ポリエチレン、ポリプロピレンのシートに、複数の開孔部を設けたものが挙げられる。
【００７６】
生理用ナプキン１において、液拡散シート４１の素材としては、液透過性及び液拡散性を有するシートであれば特に制限はなく、例えば、液透過性・親水性の不織布、その積層不織布が挙げられ、具体的には、液透過性シート７の素材として列挙されるものが挙げられる。また、液拡散シート４１は、好ましくは１０〜２００ｇ／ｍ2、より好ましくは２０〜１００ｇ／ｍ2の坪量を有する。液拡散シート４１は、好ましくは０．００２ｇ／ｃｍ３〜０．８ｇ／ｃｍ３、より好ましくは０．００４ｇ／ｃｍ３〜０．２ｇ／ｃｍ３の繊維密度を有する。このとき、液拡散シート４１の繊維密度は、液透過性シート７の繊維密度よりも高いことが好ましい。
【００７７】
生理用ナプキン１において、液不透過性シート９の素材としては、液不透過性を有するものであれば特に制限はない。ただし、温感剤５０の温感剤の効果で温められた空気を液不透過性シート９と肌との間の領域から散逸し難くする観点から、液不透過性シート９の素材としては非通気性を有するものを用いることが好ましい。液不透過性シート９の素材として、例えば、ポリエチレンやポリプロピレン等の合成樹脂フィルム、スパンボンド又はスパンレース等の不織布に合成樹脂フィルムを接合したもの、ＳＭＳ等の複層不織布等が挙げられ、非通気性を有する合成樹脂フィルムが好ましい。液不透過性シート９は、好ましくは１０〜５０ｇ／ｍ2、より好ましくは１５〜３０ｇ／ｍ2の坪量を有する。
【００７８】
生理用ナプキン１において、温感剤保持シート１３の素材としては、例えば、液透過性シート７の素材として列挙されるものや、スポンジシートのような多孔質樹脂シートなど、温感剤５０を含浸可能なものが挙げられる。具体的には、温感剤５０の溶媒が親油性溶媒であるときには、合成繊維の布帛、例えば、不織布、織布、編物等が挙げられ、好ましくは合成繊維の不織布が挙げられる。温感剤の溶媒が親水性溶媒であるときには、例えば、セルロース系繊維から構成される布帛、例えば、不織布、織布、編物等が挙げられ、好ましくはパルプ繊維から構成されるティッシュ、エアレイドパルプが挙げられる。なお、別の実施形態として、生理用ナプキン１に付与する所定の機能を保温機能とする場合、温感剤保持シート１３に代替される保温性シートの素材は、例えば、温感剤保持シート１３の素材として列挙されるものが挙げられ、この場合には温感剤５０は含浸させない。
【００７９】
生理用ナプキン１において、吸収体１１（の吸収コア）の素材としては、例えば、パルプ繊維及び高吸水性ポリマーが挙げられる。吸収体１１がコアラップを有する場合には、コアラップの素材としては、例えばティッシュが挙げられる。
【００８０】
生理用ナプキン１において、粘着部７１、７２、７３等の素材としては、ホットメルト接着剤、例えば、例えば、スチレン−エチレン−ブタジエン−スチレン（ＳＥＢＳ）、スチレン−ブタジエン−スチレン（ＳＢＳ）、スチレン−イソプレン−スチレン（ＳＩＳ）等のゴム系を主体とした、又は直鎖状低密度ポリエチレン等のオレフィン系を主体とした感圧型接着剤又は感熱型接着剤；水溶性高分子（例えば、ポリビニルアルコール、カルボキシルメチルセルロース、ゼラチン等）又は水膨潤性高分子（例えば、ポリビニルアセテート、ポリアクリル酸ナトリウム等）からなる感水性接着剤等が挙げられる。
【００８１】
生理用ナプキン１において、個包装シート４３の素材としては、例えば、ポリエチレン及びポリプロピレンのようなポリオレフィン系ポリマーが挙げられる。個包装シート４３は、気密性を高める観点から、気密層を含んでもよい。気密層の素材としては、例えば、エチレンビニルアルコールコポリマー、塩化ビニリデン系ポリマー、例えば、塩化ビニリデンメチルアクリレートコポリマー、ポリビニルアルコール、ナイロン、例えば、ナイロン６、アルミ箔、基材フィルム（ポリエチレンテレフタレート等）上にアルミナ、シリカ等が蒸着されたものが挙げられる。
【００８２】
生理用ナプキン１では、温感剤５０は吸収体１１と厚さ方向Ｔに概ね重複しない位置に配置されているが、吸収体１１と厚さ方向Ｔに重複する位置にも配置することも可能である。具体的には、生理用ナプキン１では、温感剤５０は、例えば、液透過性シート７、液拡散シート４１、吸収体１１における肌側及び／又は非肌側の表面に配置され得る。
【００８３】
本発明の吸収性物品（例示：生理用ナプキン）は、上述した各実施形態に制限されることなく、本発明の目的、趣旨を逸脱しない範囲内において、各実施形態同士を組合せることや公知技術を適用すること等が可能である。
【符号の説明】
【００８４】
１    生理用ナプキン
３    吸収本体
５    温感本体（機能本体）
１１    吸収体
１３    温感剤保持シート（機能層）
１７    ウイング部
２１    排泄口当接域
【図１】
2020179886.tif 000003
【図２】
2020179886.tif 000004
【図３】
2020179886.tif 000005
【図４】
2020179886.tif 000006
【国際調査報告】
2020179886.tif 000007
2020179886.tif 000008
2020179886.tif 000009
2020179886.tif 000010